(57)【要約】      （修正有）【課題】受信部の表面の意匠性を維持することのできる空気調和機の室内機を提供する。【解決手段】人感センサーやリモコン受光部等の受信部を前面あるいは下面の内部に具備した空気調和機において、受信部を内部に設けられた収納部９に収納し、収納部９の前方には、少なくとも周縁にリブを有する開口部１５を設け、樹脂シートをリブに接して開口部１５を覆い、リブの少なくとも前面側に樹脂シートの表面の色彩より濃い色彩を着色するか印刷層１４を施す。【選択図】図９
2017129292.tif 000002
【特許請求の範囲】
【請求項１】
人感センサーやリモコン受光部等の受信部を前面あるいは下面の内部に具備した空気調和機であって、前記受信部は前記内部に設けられた収納部に収納され、前記収納部の前方には、少なくとも周縁にリブを有する開口部が設けられ、樹脂シートを前記リブに接して前記開口部を覆い、前記リブの少なくとも前面側が前記樹脂シートの表面の色彩より濃い色彩を施されていることを特徴とする空気調和機。
【請求項２】
前記リブは前記開口部の周縁に設けられると共に、前記開口部の周縁の一部と他部との間に懸架されて設けられていることを特徴とする、請求項１記載の空気調和機。
【請求項３】
前記リブは少なくとも前記受信部の前方を回避して設けられていることを特徴とする、請求項１あるいは２に記載の空気調和機。
【請求項４】
前記色彩は陰影色であることを特徴とする、請求項１〜３のいずれか１項に記載の空気調和機。
【請求項５】
前記色彩は、印刷層の形成によりなされていることを特徴とする、請求項１〜４のいずれか１項に記載の空気調和機。
【発明の詳細な説明】
【技術分野】
【０００１】
本発明は、空気調和機の室内機に関し、特にリモコン受信部や人感センサーを格納するパネルを有するものであって、前面部の意匠性に優れた空気調和機の室内機に関するものである。
【背景技術】
【０００２】
従来、室内機の前面にリモコン受信部や人感センサー等の受信部や表示部を具備する空気調和機があった（例えば、特許文献１参照）。
【０００３】
特許文献１等に記載された室内機１００では、室内機前面の意匠パネルの下部近傍の内部にリモコンの受信部１０１を具備し、その前面に受信部カバー１０２を設けて、受信素子に使用者が直接触れることなく、且つ受信素子を隠すことで意匠性を維持していた。
【先行技術文献】
【特許文献】
【０００４】
【特許文献１】特開２０１１−７５１５８号公報
【発明の概要】
【発明が解決しようとする課題】
【０００５】
しかしながら近年、センシングに係る素子が多様化し、多数多様のセンサーを搭載する傾向に有る。
【０００６】
そのため、室内機の内部には、これら多くのセンサー等を格納するための大きな空間を要し、当該空間を隠すための受信部カバー近傍の構成は、意匠性を維持する上で重要な課題となってきている。
【０００７】
本発明は、前記従来の課題を解決するもので、受信部の意匠性を維持することのできる空気調和機の室内機を提供することを目的とする。
【課題を解決するための手段】
【０００８】
前記従来の課題を解決するために、本発明の室内機は、人感センサーやリモコン受光部等の受信部を前面あるいは下面の内部に具備した空気調和機であって、前記受信部は前記内部に設けられた収納部に収納され、前記収納部の前方には、少なくとも周囲にリブを有する開口部が設けられ、樹脂シートを前記リブに接して前記開口部を覆い、前記リブの少なくとも前面側が前記樹脂シートの表面の色彩より濃い色彩を施されたものである。
【０００９】
これによって、受信性能を確保しつつ、意匠性を維持することの出来る空気調和機の室内機を提供することができる。
【発明の効果】
【００１０】
本発明の空気調和機は、センサー等の受信性を確保しつつ、受信部周辺の前面部の意匠性を維持することができる。
【図面の簡単な説明】
【００１１】
【図１】本発明の実施の形態の室内機の正面図
【図２】本発明の実施の形態の受信部の拡大図
【図３】本発明の実施の形態の受信部の透視図
【図４】本発明の実施の形態の受信部の断面図
【図５】本発明の実施の形態の室内機の断面図
【図６】本発明の実施の形態の収納部の断面図
【図７】本発明の実施の形態の受信部の内部図
【図８】本発明の実施の形態の受信部の透視図
【図９】本発明の実施の形態の印刷層の内部図
【図１０】本発明の実施の形態の印刷層の内部図
【図１１】従来の室内機の受信部の正面図
【図１２】従来の室内機の受信部の透視図
【発明を実施するための形態】
【００１２】
第１の発明は、人感センサーやリモコン受光部等の受信部を前面あるいは下面の内部に具備した空気調和機であって、前記受信部が前記内部に設けられた収納部に収納され、前記収納部の前方には少なくとも周縁にリブを有する開口部が設けられ、樹脂シートを前記リブに接して前記開口部を覆い、前記リブの少なくとも前面側に前記樹脂シートの表面の色彩より濃い色彩を施したものである。
【００１３】
これによれば、収納部内部の空間に生ずる影がカバー部を透過して使用者に見えないため、カバー部が一様な色彩に見えるので、意匠性を損ねることがない。
【００１４】
第２の発明は、第１の発明のリブが前記開口部の周縁に設けられると共に、前記開口部の周縁の一方と他方との間に懸架されて設けられたものである。
【００１５】
これによれば、開口部を覆うカバー部を使用者が押下したとしても、カバー部が湾曲変形するのを抑え、カバー部が受信部を破損することがない。
【００１６】
第３の発明は、第１あるいは第２の発明のリブが少なくとも前記受信部の前方を回避して設けられたものである。
【００１７】
これによれば、受信部が受信するリモコンや人の発する赤外線等を受信することに支障がなく、受信性を損ねることがない。
【００１８】
第４の発明は、第１〜第３の発明の色彩を陰影色としたもので、この色彩とすることにより、収納部内部の空間に生ずる影をリブの色彩とが馴染み、リブの部分が透過して使用者に見えることがない。
【００１９】
第５の発明は、第１〜第４の発明の色彩を印刷層の形成によりなしたものである。
【００２０】
これによれば、色彩の形成を簡易に実施することができ、生産性を向上させることができる。
【００２１】
以下、本発明の実施の形態について、図面を参照しながら説明する。なお、この実施の形態によって本発明が限定されるものではない。
【００２２】
（実施の形態１）
図１は本発明の実施の形態の空気調和機の室内機の正面図。図２は本発明の実施の形態の受信部の拡大図。図３は本発明の実施の形態の受信部の透視図。図４は本発明の実施の形態の受信部の断面図。図５は室内機の断面図である。
【００２３】
図１ならびに図５に示すように、空気調和機の室内機１は、その本体内部に熱交換器２
とファン３と吹出グリル４等を有している。
【００２４】
熱交換器２はファン３の上流側に配置され、吹出グリル４はファン３の下流側の送風通路と吹出口を形成している。
【００２５】
また、吹出口には、風を左右に向ける左右風向変更羽根５と、吹出口を開閉して風を上下に吹き分ける上下風向変更羽根６を設けている。
【００２６】
また、熱交換器２の前面側にはフィルタ自動清掃ユニット７が備え付けられ、さらにその前面側には意匠面を形成する表示部カバー８が設けられている。
【００２７】
また、図２、図３、図７に示すように、表示部カバー８の右端部近傍の内側に受信部１０と人感センサー１１の収納部９が設けられ、受信部１０と人感センサー１１それぞれ収納されている。
【００２８】
使用者がリモコンを操作すると、その操作信号を受信部１０が受信し、制御装置（図示せず）により空気調和機が運転を開始するのである。
【００２９】
図７、図９、図１０に示すように、受信部１０や人感センサー１１が収納されている収納部９の前面側には開口部１５が設けられており、開口部１５の少なくとも周縁にはリブ１２が設けられている。
【００３０】
リブ１２の前面側の平面なる部分に、前面より樹脂シート１３を貼付し、開口部１５を覆うことにより、受信部１０や人感センサー１１等の被収納物を隠蔽している。
【００３１】
樹脂シート１３の前面の色彩は表示部カバー８の色彩と同一のものとすることで、表示部カバーの前面に、すっきりとして統一的な意匠性をもたせることができる。
【００３２】
なお、図７、図９、図１０に示すように、リブ１２を開口部の周縁に設けると共に、前記開口部の周縁の一部と他部との間に懸架して設けてもよく、その場合、樹脂シート１３を背面側から支持するリブの面積が増えることで強度が増し、使用者が誤って樹脂シート１３を押下したとしても、樹脂シート１３の湾曲を最低限の抑え、内部の受信部１０や人感センサー１１等の被収納物を破損することがない。
【００３３】
ここで、リブ１２の前面側には濃い色彩の印刷層１４を設ける（図９、図１０中の斜線部）。
【００３４】
収納部９は、内部に受信部１０や人感センサー１１等の構成品を他に干渉することなく収納するための広い空間を有している。この空間を樹脂シート１３で覆うとき、樹脂シート１３は所定の赤外線に対する透過性があるために、前記空間の陰影が樹脂シート１３表面に透けて見えてしまい、意匠性を著しく毀損する。
【００３５】
仮に、リブ１２が表示部カバー８の色彩と同一のものであった場合、前記陰影とリブとの色彩が異なるために、図８に示すように樹脂シート１３の表面にリブ１２の形が透けて見えてしまう。
【００３６】
そこで、前記空間の陰影に応じた陰影色をリブ１２に施せば、陰影の色彩とリブ１２の色彩とが馴染み、樹脂シート１３の表面にリブ１２の形が透けて見えることがなく、意匠性が向上するのである。
【産業上の利用可能性】
【００３７】
本発明は、空気調和機の受信部のみならず、除湿機、空気清浄機等、センサーを搭載した電子機器にも適用できる。
【符号の説明】
【００３８】
１  空気調和機の室内機
２  熱交換器
３  ファン
４  吹出グリル
５  左右風向変更羽根
６  上下風向変更羽根
７  フィルタ自動清掃ユニット
８  表示部カバー
９  収納部
１０  受信部
１１  人感センサー
１２  リブ
１３  樹脂シート
１４  印刷層
１５  開口部
１００  空気調和機の室内機
１０１  受信部
１０２  受信部カバー
【図１】
2017129292.tif 000003
【図２】
2017129292.tif 000004
【図３】
2017129292.tif 000005
【図４】
2017129292.tif 000006
【図５】
2017129292.tif 000007
【図６】
2017129292.tif 000008
【図７】
2017129292.tif 000009
【図８】
2017129292.tif 000010
【図９】
2017129292.tif 000011
【図１０】
2017129292.tif 000012
【図１１】
2017129292.tif 000013
【図１２】
2017129292.tif 000014